(57)【要約】【課題】簡易な構成で、温度制御に優れた回転駆動体温度制御装置を提供する。【解決手段】感光体温度制御装置６２は、温度制御部５１と、温度制御部５１に対して回転可能に設けられた感光体３５ａとを備える。温度制御部５１は、感光体３５ａの外部に設けられ、感光体３５ａの温度を制御する。感光体３５ａは、その内部に設けられ感光体３５ａを熱するヒータ３４ａと、その内部に設けられ感光体３５ａの温度を検知する温度センサ３６ａと、ヒータ３４ａまたは温度センサ３６ａに電圧を供給する２本の電極５９とを含む。【選択図】図４
2008292544.tif 000002
【特許請求の範囲】
【請求項１】
温度制御部と、
前記温度制御部に対して回転可能に設けられた回転駆動体とを備える回転駆動体温度制御装置であって、
前記温度制御部は、前記回転駆動体の外部に設けられ、前記回転駆動体の温度を制御し、
前記回転駆動体は、その内部に設けられ前記回転駆動体を熱するヒータと、その内部に設けられ前記回転駆動体の温度を検知する温度センサと、前記ヒータまたは前記温度センサに電圧を供給する２本の電極とを含む、回転駆動体温度制御装置。
【請求項２】
前記回転駆動体の内部に設けられ、前記電極に接続されており、前記温度制御部からの制御信号に応じて、前記電圧を供給する対象を前記ヒータまたは前記温度センサに切り替える制御対象切替部を備える、請求項１に記載の回転駆動体温度制御装置。
【請求項３】
前記回転駆動体の外部に設けられ、前記ヒータおよび前記温度センサに電圧を供給する電圧供給部を備え、
前記電圧供給部は、前記ヒータへ電圧を供給する第１電圧供給部と、前記第１電圧供給部とは別に設けられ、前記温度センサへ電圧を供給する第２電圧供給部と、前記第１電圧供給部と前記第２電圧供給部とを切り替える供給電圧切替部とを含む、請求項１または２に記載の回転駆動体温度制御装置。
【請求項４】
前記回転駆動体の外部に設けられ、前記ヒータへ流れる電流値および前記温度センサの値を検知する検知部を備え、
前記検知部は、前記ヒータの電流値を検知する第１抵抗部と、前記第１抵抗部とは別に設けられ、前記温度センサの値を検知する第２抵抗部と、前記第１抵抗部と前記第２抵抗部とを切り替える検知抵抗切替部とを含む、請求項１〜３のいずれかに記載の回転駆動体温度制御装置。
【請求項５】
前記温度センサは、前記回転駆動体に接している、請求項１〜４のいずれかに記載の回転駆動体温度制御装置。
【請求項６】
前記回転駆動体は、感光体である、請求項１〜５のいずれかに記載の回転駆動体温度制御装置。
【請求項７】
請求項１〜６のいずれかに記載の回転駆動体温度制御装置を含む、画像形成装置。
【発明の詳細な説明】
【技術分野】
【０００１】
この発明は、回転駆動体温度制御装置および画像形成装置に関し、特に、画像形成装置に備えられる感光体のような回転駆動体の温度を制御可能な回転駆動体温度制御装置、およびこのような回転駆動体温度制御装置を含む画像形成装置に関するものである。
【背景技術】
【０００２】
画像形成装置に備えられる感光体は、静電潜像を形成する際に、帯電部によって所定の電位まで帯電される。帯電部によって帯電される感光体の電位は、感光体の温度に影響を受けるため、感光体の温度が変化すると感光体の電位が変化する恐れがある。そうすると、画像形成時において、画像流れのような不具合が生じてしまうことになる。したがって、画像形成装置には、感光体などの回転駆動体の温度を制御する回転駆動体温度制御装置が設けられている。
【０００３】
従来の回転駆動体温度制御装置においては、温度センサ（サーミスタ）と、ヒータと、温度センサおよびヒータを制御する制御部とを感光体内部に設けるように構成されている。この場合、制御部は、感光体内部に設けられた温度センサで検知される温度のみによって、感光体の温度を一定温度に制御できるだけであり、外部からの温度変化に対応して感光体の温度を制御することはできなかった。なお、外部からの温度変化に対応する制御とは、特開平１−１１３７６８号公報（特許文献１）に開示されている技術のように、感光体の温度に加え、定着装置の温度、および室温の変化などに基づいた制御のことである。
【０００４】
ここで、温度センサを感光体外部に設け、感光体の温度を外部からの温度変化に対応して制御することができる画像形成装置に関する技術が、特開平９−２２１６８号公報（特許文献２）に開示されている。
【特許文献１】特開平１−１１３７６８号公報
【特許文献２】特開平９−２２１６８号公報（第１図）
【発明の開示】
【発明が解決しようとする課題】
【０００５】
特許文献２によると、温度センサは、感光体外部に設けられる。したがって、温度センサは、感光体上に形成される画像の領域外に設けられなければならない等のシステム的な制限がある。また、温度センサは、感光体から離れた位置に設けられる恐れもあり、このような場合、正確な感光体の温度を検知することは困難である。そうすると、感光体の温度を厳密に制御することはできない。一方、温度センサを感光体内部に設けると、温度センサ用の電圧を供給する電極と、ヒータ用の電圧を供給する電極とが必要になる。このように感光体のような回転駆動体内部に接続される電極の数が増加すると、構成が複雑になってしまう。
【０００６】
この発明の目的は、簡易な構成で、温度制御に優れた回転駆動体温度制御装置を提供することである。
【０００７】
この発明の他の目的は、より良好な画像を形成することができる画像形成装置を提供することである。
【課題を解決するための手段】
【０００８】
この発明に係る回転駆動体温度制御装置は、温度制御部と、温度制御部に対して回転可能に設けられた回転駆動体とを備える。温度制御部は、回転駆動体の外部に設けられ、回転駆動体の温度を制御する。回転駆動体は、その内部に設けられ回転駆動体を熱するヒータと、その内部に設けられ回転駆動体の温度を検知する温度センサと、ヒータまたは温度センサに電圧を供給する２本の電極とを含む。
【０００９】
好ましくは、回転駆動体の内部に設けられ、電極に接続されており、温度制御部からの制御信号に応じて、電圧を供給する対象をヒータまたは温度センサに切り替える制御対象切替部を備える。
【００１０】
さらに好ましくは、回転駆動体の外部に設けられ、ヒータおよび温度センサに電圧を供給する電圧供給部を備え、電圧供給部は、ヒータへ電圧を供給する第１電圧供給部と、第１電圧供給部とは別に設けられ、温度センサへ電圧を供給する第２電圧供給部と、第１電圧供給部と第２電圧供給部とを切り替える供給電圧切替部とを含む。
【００１１】
さらに好ましくは、回転駆動体の外部に設けられ、ヒータへ流れる電流値および温度センサの値を検知する検知部を備え、検知部は、ヒータの電流値を検知する第１抵抗部と、第１抵抗部とは別に設けられ、温度センサの値を検知する第２抵抗部と、第１抵抗部と第２抵抗部とを切り替える検知抵抗切替部とを含む。
【００１２】
さらに好ましくは、温度センサは、回転駆動体に接している。
【００１３】
さらに好ましくは、回転駆動体は、感光体である。
【００１４】
この発明の他の局面においては、画像形成装置は、回転駆動体温度制御装置を含む。
【発明の効果】
【００１５】
この発明によると、温度センサを回転駆動体内部に設けることによって、回転駆動体内部の温度を正確に検知することができる。また、回転駆動体内部へ電圧を供給する電極は、２本であるため、簡易な構成とすることができる。さらに、温度制御部を回転駆動体外部に設けることによって、回転駆動体内部に接続される電極を増やさず、外部からの温度変化に対応した制御をすることができる。したがって、簡易な構成で、温度制御に優れた回転駆動体温度制御装置を提供することができる。
【００１６】
さらにこのような回転駆動体温度制御装置を含む画像形成装置は、より良好な画像を形成することができる。
【発明を実施するための最良の形態】
【００１７】
以下、この発明の実施の形態を図面を参照して説明する。図１は、この発明の一実施形態に係る画像形成装置をデジタル複合機１０に適用した場合のデジタル複合機１０の構成を示すブロック図である。図１を参照して、デジタル複合機１０は、デジタル複合機１０全体を制御する制御部１１と、画像データ等の書き込みや読出しを行うためのＤＲＡＭ１２と、デジタル複合機１０の有する情報を表示する表示画面を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置でスキャナで読取る画像読取り部１５と、画像読取り部１５で読取られた原稿等からその画像を形成する画像形成部１６と、画像データ等を格納するハードディスク１７と、公衆回線２０に接続されるＦＡＸ通信部１８と、ネットワーク２１と接続するためのネットワークＩＦ（インターフェース）部１９とを備える。
【００１８】
制御部１１は、画像読取り部１５から与えられる原稿データをＤＲＡＭ１２に圧縮符号化して書き込み、ＤＲＡＭ１２に書き込んだデータを読出し、伸張復号化して画像形成部１６により出力する。
【００１９】
デジタル複合機１０は、画像読取り部１５により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取られた原稿の画像データを、ＦＡＸ通信部１８を通じて公衆回線２０に画像データを送信することにより、ファクシミリ装置として作動する。すなわち、デジタル複合機１０は、画像処理に関し、複写（コピー）機能、プリンター機能、ＦＡＸ機能等、複数の機能を有する。さらに、各機能に対しても、さらに詳細に設定可能な機能を有する。
【００２０】
なお、図１において、太線の矢印は画像データの流れを示しており、細線の矢印は制御信号または制御データの流れを示している。
【００２１】
ここで、画像形成部１６の具体的な構成について説明する。図２は、デジタル複合機１０に備えられる画像形成部１６の一部を示す概略図である。図２において、実線の矢印は用紙４０の流れを示しており、点線の矢印は転写ベルト３７の回転方向を示している。図３は、画像形成部１６に備えられるイエローの現像器４２ａを示す模式図である。図１〜図３を参照して、画像形成部１６は、イエローの現像器４２ａと、マゼンタの現像器４２ｂと、シアンの現像器４２ｃと、ブラックの現像器４２ｄとを備える。イエローの現像器４２ａは、感光体３５ａと、帯電部３１ａと、露光部３２ａと、現像部３３ａとを備える。帯電部３１ａは、感光体３５ａに電圧を印加して感光体３５ａの表面を所定の電位に帯電させる。露光部３２ａは、帯電部３１ａにより帯電された感光体３５ａの表面に、画像読取り部１５で読み取られた原稿を基に形成されたイエローの光像を露光する。そうすると、感光体３５ａの表面には、静電潜像が形成される。現像部３３ａは、感光体３５ａの表面に形成された静電潜像にイエローのトナーを付着させ、イエローのトナー像を形成する。現像器４２ｂ、現像器４２ｃ、現像器４２ｄについても現像器４２ａと同様に各色のトナー像が形成される。形成された各色のトナー像は、位置ずれが起きないように、図２中の点線の矢印で示す方向に回転している転写ベルト３７上に、イエロー、マゼンタ、シアン、ブラックの順に重ね合わせて一次転写される。このようにして、イエロー、マゼンタ、シアン、ブラックにより構成されるフルカラー画像が転写ベルト３７上に形成される。転写ベルト３７上に転写されたフルカラー画像は、用紙４０へ転写ローラ３８によって二次転写される。その後、用紙４０上に転写されたフルカラー画像は、定着ローラ３９により定着される。このようにして、用紙４０にフルカラー画像を形成する。
【００２２】
上記した回転駆動体としての感光体３５ａの温度は、感光体温度制御装置によって制御されている。ここで、感光体温度制御装置の具体的な構成について説明する。図４は、感光体温度制御装置６２の物理的構成を示すブロック図である。なお、図４において、太線は、電源線を示しており、点線は、温度制御部５１からの制御信号を示している。図３および図４を参照して、感光体温度制御装置６２は、温度制御部５１と、温度制御部５１に対して回転可能に設けられた感光体３５ａとを備える。感光体３５ａは、感光体３５ａを熱するヒータ３４ａと、感光体３５ａの温度を検知する温度センサ３６ａと、ヒータ３４ａまたは温度センサ３６ａに電圧を供給する電極５９と、電圧を供給する対象をヒータ３４ａまたは温度センサ３６ａに切り替える制御対象切替部５８と、ヒータ３４ａの温度が上限を超えるとヒータ３４ａへの供給電圧を制限する温度リミッタ（図示せず）とを含む。また、感光体温度制御装置６２は、ヒータ３４ａおよび温度センサ３６ａに電圧を供給する電圧供給部５２と、ヒータ３４ａの電流値および温度センサ３６ａの値を検知する検知部５４とを備える。
【００２３】
ヒータ３４ａは、筒状の感光体３５ａの中心部分に設けられ、感光体３５ａを加熱する。
【００２４】
温度センサ３６ａは、感光体３５ａの内周面に接して設けられ、感光体３５ａの温度を検知する。この場合、温度センサ３６ａは、感光体３５ａに接して設けられるため、感光体３５ａの内部の温度を正確に検知することができる。
【００２５】
制御対象切替部５８は、感光体３５ａの内部に設けられ、電極５９に接続されている。制御対象切替部５８は、温度制御部５１からの制御信号に応じて、電圧を供給する対象をヒータ３４ａまたは温度センサ３６ａに切り替える。
【００２６】
電極５９は、２本で構成されており、制御対象切替部５８と電圧供給部５２および検知部５４とを接続する。電極５９は、制御対象切替部５８を介して電圧供給部５２からの電圧を、ヒータ３４ａまたは温度センサ３６ａに供給する。また、電極５９を介してヒータ３４ａの電流値または温度センサ３６ａの値は、検知部５４により検知される。
【００２７】
電圧供給部５２は、感光体３５ａの外部に設けられ、ヒータ３４ａまたは温度センサ３６ａに電圧を供給する。電圧供給部５２は、ヒータ３４ａ用の電圧を供給する第１電圧供給部６３と、温度センサ３６ａ用の電圧を供給する第２電圧供給部６４と、供給電圧切替部５３とを備える。なお、ここでは、ヒータ３４ａ用の電圧は２４Ｖとし、温度センサ３６ａ用の電圧は５Ｖとする。供給電圧切替部５３は、温度制御部５１からの制御信号に応じて、第１電圧供給部６３と第２電圧供給部６４とを切り替える。
【００２８】
検知部５４は、感光体３５ａの外部に設けられ、ヒータ３４ａの電流値または温度センサ３６ａの値を検知する。検知部５４は、ヒータ３４ａの電流値を検知する第１抵抗部５６と、温度センサ３６ａの値を検知する第２抵抗部５７と、検知抵抗切替部５５とを備える。検知抵抗切替部５５は、温度制御部５１からの制御信号に応じて、第１抵抗部５６と第２抵抗部５７とを切り替える。
【００２９】
温度制御部５１は、制御部１１に備えられ、感光体３５ａの外部に設けられる。温度制御部５１は、電圧供給部５２と制御対象切替部５８と検知部５４に温度制御用の制御信号を送信して、感光体３５ａの温度を制御する。
【００３０】
このように構成することにより、感光体３５ａ内部への電圧を供給する電極５９は、２本であるため、簡易な構成とすることができる。さらに、温度制御部５１を感光体３５ａ外部に設けることによって、感光体３５ａ内部に接続される電極５９を増やさず、外部からの温度変化に対応した制御をすることができる。したがって、簡易な構成で、温度制御に優れた感光体温度制御装置６２を提供することができる。
【００３１】
また、感光体３５ａ内部に設けられた制御対象切替部５８により、ヒータ３４ａまたは温度センサ３６ａに供給する電圧を、感光体３５ａ内部において、ヒータ３４ａまたは温度センサ３６ａに切り替えることができる。そうすると、制御対象切替部５８に電極５９を接続するのみでよいため、感光体３５ａ内部へ電圧を供給する電極５９を増やさず、簡易な構成で、容易に感光体３５ａ内部へ電圧を供給することができる。
【００３２】
また、供給電圧切替部５３は、第１電圧供給部６３と第２電圧供給部６４とを単に切り替えるだけで、ヒータ３４ａおよび温度センサ３６ａへ電圧を供給することができる。したがって、容易に、かつ確実にヒータ３４ａおよび温度センサ３６ａに電圧を供給することができる。
【００３３】
また、検知抵抗切替部５５は、第１抵抗部５６と第２抵抗部５７とを単に切り替えるだけで、ヒータ３４ａの電流値および温度センサ３６ａの値を検知することができる。したがって、容易に、かつ確実にヒータ３４ａの電流値および温度センサ３６ａの値を検知することができる。
【００３４】
さらに、感光体３５ａは、温度制御をより厳密に行うことができるため、より良好な画像を形成することができる。
【００３５】
さらに、このような感光体温度制御装置６２を含むデジタル複合機１０は、厳密な温度制御を行うことができるため、より良好な画像を形成することができる。
【００３６】
ここで、デジタル複合機１０を利用して、デジタル複合機１０の電源を投入し、画像形成を開始する場合を説明する。図５は、電源を投入してから、画像形成を開始する際の感光体温度制御装置６２の動作を示すフローチャートである。図１〜図５を参照して、電源を投入し、画像形成を開始する場合を説明する。
【００３７】
まず、電源を投入する（図５において、ステップＳ１１、以下ステップを省略する）。次に、温度制御部５１は、感光体３５ａを加熱する（Ｓ１２）。一定時間経過後、温度制御部５１は、感光体３５ａの温度を検知する（Ｓ１３）。温度制御部５１は、検知した感光体３５ａの温度から、感光体３５ａが、画像形成の行える外気温や定着温度を考慮して設定した温度に達しているか判断する（Ｓ１４）。設定した温度に達していないと判断した場合は、温度制御部５１は、再度感光体３５ａを加熱し、一定時間経過後、再度温度を検知する。このようにして、加熱と温度検知を繰り返す。そして、設定した温度に達していると判断した場合は、温度制御部５１は、ヒータ３４ａに供給する電圧を遮断する。そうすると、感光体３５ａは、画像形成が開始できる状態となる（Ｓ１５）。
【００３８】
ここで、上記した、デジタル複合機１０を利用して、デジタル複合機１０の電源を投入し、画像形成を開始する場合を具体的に説明する。図６は、供給電圧と時間との関係を示すグラフである。図１〜図６を参照して、電源を投入し、画像形成を開始する場合を具体的に説明する。
【００３９】
まず、電源を投入する。そうすると、温度制御部５１は、感光体３５ａを、外気温や定着温度を考慮した画像形成に適した温度にするために、感光体３５ａを加熱する。具体的には、供給電圧切替部５３において、第１電圧供給部６３に切り替え、制御対象切替部５８において、ヒータ３４ａに切り替え、検知抵抗切替部５５において、第１抵抗部５６に切り替える。このようにして、時間Ｔ０からＴ１まで、第１電圧供給部６３からヒータ３４ａに電圧２４Ｖを供給して、感光体３５ａを加熱する。この場合、温度制御部５１は、第１抵抗部５６よりヒータ３４ａの電流値を読み取り、異常がないか確認する。
【００４０】
次に、時間Ｔ１に達すると、温度制御部５１は、感光体３５ａの温度を検知する。具体的には、供給電圧切替部５３において、第２電圧供給部６４に切り替え、制御対象切替部５８において、温度センサ３６ａに切り替え、検知抵抗切替部５５において、第２抵抗部５７に切り替える。このようにして、時間Ｔ１からＴ２まで、第２電圧供給部６４から温度センサ３６ａに電圧５Ｖを供給して、感光体３５ａの温度を検知する。具体的には、第２抵抗部５７より温度センサ３６ａの値を読み取る。
【００４１】
次に、時間Ｔ２に達すると、温度制御部５１は、検知した感光体３５ａの温度から、感光体３５ａが、画像形成の行える外気温や定着温度を考慮して設定した温度に達しているか判断する。
【００４２】
時間Ｔ２において、感光体３５ａの温度が画像形成に適していない、すなわち、設定した温度に達していないと判断した場合は、温度制御部５１は、再度感光体３５ａを加熱する。具体的には、供給電圧切替部５３において、第１電圧供給部６３に再度切り替え、制御対象切替部５８において、ヒータ３４ａに再度切り替え、検知抵抗切替部５５において、第１抵抗部５６に再度切り替える。このようにして、時間Ｔ２からＴ３まで、第１電圧供給部６３からヒータ３４ａに電圧２４Ｖを供給して、再度感光体３５ａを加熱する。この場合、温度制御部５１は、第１抵抗部５６よりヒータ３４ａの電流値を読み取り、異常がないか確認する。
【００４３】
次に、時間Ｔ３に達すると、温度制御部５１は、再度感光体３５ａの温度を検知する。具体的には、供給電圧切替部５３において、第２電圧供給部６４に再度切り替え、制御対象切替部５８において、温度センサ３６ａに再度切り替え、検知抵抗切替部５５において、第２抵抗部５７に再度切り替える。このようにして、時間Ｔ３からＴ４まで、第２電圧供給部６４から温度センサ３６ａに電圧５Ｖを供給して、再度感光体３５ａの温度を検知する。具体的には、第２抵抗部５７より温度センサ３６ａの値を読み取る。
【００４４】
次に、時間Ｔ４に達すると、温度制御部５１は、検知した感光体３５ａの温度から、感光体３５ａが、画像形成の行える外気温や定着温度を考慮して設定した温度に達しているか判断する。
【００４５】
時間Ｔ４において、感光体３５ａの温度が画像形成に適している、すなわち、設定した温度に達していると判断した場合は、温度制御部５１は、ヒータ３４ａに供給する電圧を遮断する。そうすると、感光体３５ａは、画像形成が開始できる状態となる。
【００４６】
さらに、上記において画像形成を終了し、時間Ｔ４からＴ５まで一定時間経過後に画像形成を行う場合を説明する。
【００４７】
まず、温度制御部５１は、再度感光体３５ａの温度を検知する。具体的には、供給電圧切替部５３において、第２電圧供給部６４に再度切り替え、制御対象切替部５８において、温度センサ３６ａに再度切り替え、検知抵抗切替部５５において、第２抵抗部５７に再度切り替える。このようにして、時間Ｔ５からＴ６まで、第２電圧供給部６４から温度センサ３６ａに電圧５Ｖを供給して、再度感光体３５ａの温度を検知する。具体的には、第２抵抗部５７より温度センサ３６ａの値を読み取る。
【００４８】
次に、時間Ｔ６に達すると、温度制御部５１は、検知した感光体３５ａの温度から、感光体３５ａが、画像形成の行える外気温や定着温度を考慮して設定した温度に達しているか判断する。
【００４９】
時間Ｔ６において、感光体３５ａの温度が画像形成に適していない、すなわち、設定した温度に達していないと判断した場合は、温度制御部５１は、再度感光体３５ａを加熱する。具体的には、供給電圧切替部５３において、第１電圧供給部６３に再度切り替え、制御対象切替部５８において、ヒータ３４ａに再度切り替え、検知抵抗切替部５５において、第１抵抗部５６に再度切り替える。このようにして、時間Ｔ６の一点鎖線に示すように、第１電圧供給部６３からヒータ３４ａに電圧２４Ｖを供給して、再度感光体３５ａを加熱する。この場合、温度制御部５１は、第１抵抗部５６よりヒータ３４ａの電流値を読み取り、異常がないか確認する。
【００５０】
時間Ｔ６において、感光体３５ａの温度が画像形成に適している、すなわち、設定した温度に達していると判断した場合は、温度制御部５１は、時間Ｔ６の点線に示すように、ヒータ３４ａに供給する電圧を遮断する。そうすると、感光体３５ａは、画像形成が開始できる状態となる。
【００５１】
なお、温度センサ３６ａに電圧を供給している間は、ヒータ３４ａに電圧は供給されないことになるが、その時間に比べ温度伝達特性は十分に遅いため、すぐにヒータ３４ａに電圧を供給させれば、継続した温度維持ができる。
【００５２】
また、上記の実施の形態においては、電圧供給部５２を設けることとしたが、これに限らず、温度制御部５１が一定の電圧を供給し、制御対象切替部５８が電圧を供給する対象、すなわちヒータ３４ａまたは温度センサ３６ａを判断することによって、ヒータ３４ａに電圧２４Ｖまたは温度センサ３６ａに電圧５Ｖを供給してもよい。
【００５３】
また、上記の実施の形態においては、検知部５４を設けることとしたが、これに限らず、温度制御部５１がヒータ３４ａの電流値および温度センサ３６ａの値を検知し、電圧を供給する対象、すなわちヒータ３４ａまたは温度センサ３６ａに応じて、ヒータ３４ａの電流値および温度センサ３６ａの値を検知してもよい。
【００５４】
また、上記の実施の形態においては、回転駆動体は感光体３５ａとしたが、これに限らず、例えば定着ローラ３９のような、回転駆動体内部に設けられたヒータ３４ａで加熱されるような機器であればよい。
【００５５】
さらに、上記の実施の形態においては、デジタル複合機１０によって、フルカラー画像を形成する場合を説明したが、これに限らず、白黒画像を形成する場合にも適用される。
【００５６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００５７】
【図１】この発明の一実施形態に係るデジタル複合機の全体構成を示すブロック図である。
【図２】図１に示すデジタル複合機に備えられる画像形成部の一部を示す概略図である。
【図３】図２に示す画像形成部に備えられる現像器の一例を示す模式図である。
【図４】感光体温度制御装置の物理的構成を示すブロック図である。
【図５】図１に示すデジタル複合機の電源を投入し、画像形成を開始する際の感光体温度制御装置の動作を示すフローチャートである。
【図６】供給電圧と時間との関係を示すグラフである。
【符号の説明】
【００５８】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、３１ａ  帯電部、３２ａ  露光部、３３ａ  現像部、３４ａ  ヒータ、３５ａ  感光体、３６ａ  温度センサ、３７  転写ベルト、３８  転写ローラ、３９  定着ローラ、４０  用紙、４２ａ，４２ｂ，４２ｃ，４２ｄ  現像器、５１  温度制御部、５２  電圧供給部、５３  供給電圧切替部、５４  検知部、５５  検知抵抗切替部、５６  第１抵抗部、５７  第２抵抗部、５８  制御対象切替部、５９  電極、６２  感光体温度制御装置、６３  第１電圧供給部、６４  第２電圧供給部。
【図１】
2008292544.tif 000003
【図２】
2008292544.tif 000004
【図３】
2008292544.tif 000005
【図４】
2008292544.tif 000006
【図５】
2008292544.tif 000007
【図６】
2008292544.tif 000008